(57)【要約】【課題】  本考案は砂浜等に、ビーチパラソル固定具を設け、ビーチパラソルを固定すると共に、ビーチパラソル固定具上部にテーブルを取り付けること。【解決手段】  本考案はプラスチック製容器を用い、吸水口７よりビーチパラソル固定具６に海水・水等を注入し、その重さを利用してビーチパラソルを立て固定することができる。また、テーブル１とビーチパラソル６をねじ込み式ネジで固定することで、一つの構造となると同時に、上部にテーブルを設置することが可能となる。次に、ビーチパラソルをテーブル１上部より空洞部に差し込み立て、上部空洞部２及び下部空洞部５とビーチパラソルとの隙間を砂・布等で塞ぐことにより、全体の安定を図ることができる。【選択図】図１
0003128479.tif 000002
【実用新案登録請求の範囲】
【請求項１】
ビーチパラソルのポールの下部を、水・海水・砂等を重しとして充填可能な空洞構造のプラスチック製容器に差し込み砂上に設置するビーチパラソル固定具であって、該空洞構造のプラスチック容器と一体的に連接されたテーブルを有する構造を特徴とするテーブル付きビーチパラソル固定具。
【請求項２】
ビーチパラソルのポールの下部を、水・海水・砂等を重しとして充填可能な空洞構造のプラスチック製容器に差し込み砂上に設置するビーチパラソル固定具であって、該空洞構造のプラスチック容器と一体的に連接されたテーブルが、高さの調節する手段としてねじ込み式ネジハンドル構造を有し、該ハンドル部は携帯電話等の小物を掛けることが可能である構造を特徴とする請求項１記載のテーブル付きビーチパラソル固定具。
【考案の詳細な説明】
【技術分野】
【０００１】  本考案はビーチパラソルを固定する固定具、及び取り付けテーブルに関するものである。
【背景技術】
【０００２】  砂浜・海水浴場・河川等では従来、砂の中にビーチパラソルを立てる場合、ビーチパラソル下部を砂に差し込み、砂盛土するか、石などにより固定してきた。
【考案の開示】
【考案が解決しようとする課題】
【０００３】  従来、海水浴場・砂浜・河川等では、砂にビーチパラソルを立てる場合、ビーチパラソル下部を砂に差し込み砂盛土するか、地面に穴を掘り、立てていた。そのため風が少し吹くと傾いたり、倒壊したりしていた。またシャベル、又はスコップ等で大きな穴を掘る場合には、時間的・労働的損失が非常に大きかった。次に、ビーチパラソル下にシートを敷き、その上にメガネ・タバコ・ジュース・その他等を置いていたため、砂が付着し不快感を感じることが多かった。
【課題を解決するための手段】
【０００４】  上記の問題を解決するために、登録実用新案公報３０８２６１２号に示すようなものが開示されている。これはビーチパラソルの下部に面積のある板を固定し、砂に埋め込み砂の重みで飛びにくい様にしたものである。しかしながら、この面積のある板は平板状であるため風が吹いた時は傾き易く、持ち運び・設置に難点があった。次に公開実用新案平０７−２４１１１ではビーチパラソルの先端にらせん状のドリルの溝を付け穴を掘ると同時に、ビーチパラソルの設置を可能にした。それに対し本考案は、固定具にプラスチック製の空洞な容器を用い、その空洞部に、ビーチパラソル本体を下部方向から通し固定具とする。また、その固定具の中には、海水・水・砂いずれかを注入し、その重さを利用し立て、固定するものとし、ビーチパラソルと固定具との隙間は砂・布等で塞ぎ、一体化した形としている。次に、ビーチパラソル固定具上部に、ねじ込み式ネジを利用したテーブルを取り付けることで問題を解決している。
【考案の効果】
【０００５】  登録実用新案公報３０８２６１２号では、ビーチパラソルの下部に面積のある板を固定し、及び公開実用新案平０７−２４１１１に示す、ビーチパラソルの先端にらせん状のドリルを設置するに対し、本考案は、ビーチパラソルとプラスチック製の空洞な容器は、それぞれが、別で軽量なため持ち運びが簡単であり労働的負担が軽減される。次に設置に関しては、登録実用新案公報３０８２６１２号では、砂に埋め込み砂の重みで飛びにくい様にした及び公開実用新案平０７−２４１１１では、らせん状のドリルの溝を付け穴を掘る、と同時にビーチパラソルの設置を可能にしたものである。しかしながら、これらの考案では設置時の労働負担が大きく鋭利な金属類を使用するため危険度が高かった。前記の問題点を解決するため本考案は、プラスチック製の空洞な容器に海で、海水を注入しその重さを利用し立て、固定するため時間的負担・労働的負担が大幅に軽減される。また、最も重要な課題である、長時間当初の形で立ち続けるかに関しては、変化する風・自重等の影響を、容器全体の重さ及び表面積で受け抵抗力を分散し、海水の量を増すことにより軽減することができる。次に、製品の安全性に関しては、プラスチック製の空洞な容器なので、持ち運び・設置・撤去・万一、多くの人が集まる海水浴場等で突風・竜巻等で転倒しても、金属類・面積のある板等を使用しておらずより安全である。また、海・河川等での非常時には救命道具として使用することも可能である。前述の課題達成と併せて、本考案は耐候性に優れ、使い易く、構成が簡素で製造しやすいため製造コストが低減でき経済性に優れたビーチパラソル固定具を提供する。【０００６】  次に、もう一つの特徴として、固定したビーチパラソル固定具の上部にテーブル設置が可能なことである。設置に関しては、上部と下部をねじこみ式ネジを用い全体を一体化し、安定性を増すと同時に時間的・労働的損失が少なくてすむ。構造面では、テーブルの下のハンドルを、もの掛け等に利用することができる。次に、持ち運びはビーチパラソル固定部横に取っ手が付いており、そこを利用することができる。また全体の大きさの比率は、横１に対し縦１〜３を基本とする。
【考案を実施するための最良の形態】
【０００７】  ビーチパラソルとビーチパラソル固定具を砂浜等に持って行き、海中にビーチパラソル固定具をつけ込み、吸水口より海水を注入し、それを持って設置場所へ移動する。そこでビーチパラソルをビーチパラソル固定具の上部から差し込み、隙間は砂・布等で塞ぎ一体化する。また下部が邪魔な場合は、砂の中に埋め込み、安定性を増すと同時に影面積を増すことができる。次に撤去の場合は、蛇口の蓋を開け海水を排出することでより簡単になる。【０００８】  次に、ビーチパラソル固定具の上部にテーブルを設置することである。テーブルを設置すると砂浜部と分離でき、従来、シート上に置いてあった小物メガネ・タバコ・ジュース・その他等を、テーブル上に置くことが可能となる。中でも近年、デジタルカメラ・携帯電話等の利用が多く砂浜部と分離したハンドル部の利用が最良となろう。また携帯電話等を使用しない場合は、ハンドル部をゴミ収集袋掛けとして利用し環境美化に努めることができる。【０００９】  前途の使用方法と別に、室内に於いてはビーチパラソル固定具と同じ構造物を上部に連結し、その後水を注入し水平にして使用すれば、腹筋・背筋を鍛えると器具であると共に脹ら脛・内股のマッサージ器具として利用することもできる。また最近、東海・東南海・南海地震等災害対策としてプラスチック製容器に水を溜ておくことがくが可能であり非常時に利用することができる。
【実施例】
【００１０】  以下、添付図に従って一実施例を説明する。図１・２全体のプラスチック製品を海の中にいれ、吸水口７より注入し、設置場所に移動する。海水が入ったプラスチック製品は自重で自立し固定する。そこで下部空洞部５からビーチパラソルを入れ込み、下部空洞部５とビーチパラソルとの間隔は、砂・布等で塞ぎ、下部空洞部５を固定させビーチパラソルの安定性を増し立てることができる。【００１１】  次に、吸水口７より水・海水等を注入し、取ってを持って設置場所に移動する。海水が入ったプラスチック製品は自重で自立し固定する。そこでテーブル１とビーチパラソル固定具６をねじ込み式ネジで閉め一体化した構造物とする。その時点でテーブル１がテーブルとして使用できる。また、テーブル１からビーチパラソルを入れ込み、上部空洞部２及び下部空洞部５とビーチパラソルとの間隔は、砂・布等で塞ぎ固定させ、ビーチパラソルの安定性を増することができる。また、ビーチパラソル固定具６単独で使用すればビーチパラソル固定具、テーブル１とビーチパラソル固定具６連結すれば、テーブル付きビーチパラソル固定具となる。
【図面の簡単な説明】
【００１２】
【図１】本考案のテーブル付きビーチパラソル固定具の一実施例を示す正面図である
【図２】本固定具の一部平面図である。
【図３】テーブル部の一部詳細図である。
【図４】本固定具の一部詳細図である。
【符号の説明】
【００１３】  １  テーブル
２  上部空洞部
３  ハンドル
４  ねじ込み式ネジ部
５  下部空洞部
６  ビーチパラソル固定具
７  吸水口
８  取っ手
【図１】
0003128479.tif 000003
【図２】
0003128479.tif 000004
【図３】
0003128479.tif 000005
【図４】
0003128479.tif 000006
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
ビーチパラソルのポールの下部を、水・海水・砂等を重しとして充填可能な空洞構造のプラスチック製容器に差し込み砂上に設置するビーチパラソル固定具であって、該空洞構造のプラスチック容器と一体的に連接されたテーブルを有する構造を特徴とするテーブル付きビーチパラソル固定具。
【請求項２】
ビーチパラソルのポールの下部を、水・海水・砂等を重しとして充填可能な空洞構造のプラスチック製容器に差し込み砂上に設置するビーチパラソル固定具であって、該空洞構造のプラスチック容器と一体的に連接されたテーブルが、高さの調節する手段としてねじ込み式ネジハンドル構造を有し、このねじ込み式ネジハンドル構造のハンドル部は携帯電話等の小物を掛けることが可能である構造を特徴とする請求項１記載のテーブル付きビーチパラソル固定具。